(57)【要約】      （修正有）【課題】アンテナを備えた電波時計において、電波を受信する際に電波受信感度の妨げとならない位置への指針の移動量を最小限に抑え、電波受信時間の短縮と共に消費電力を抑えることが可能となる電波時計を提供する。【解決手段】電波時計は、指針１１２と、情報表示部１６０と、アンテナ１２０と、指針１１２を駆動させる駆動回路とを有し、アンテナ１２０の放射端１２１、１２２を結ぶ中心線Ｐを基準として互いに反対側に指針１１２の指針避難領域２００ａ、２００ｂを設け、駆動回路は、電波を受信するときに、指針避難領域２００ａ、２００ｂのうち、指針１１２から近い一方の領域へ移動するように指針１１２を回転駆動させる。【選択図】図５
2016161393.tif 000002
【特許請求の範囲】
【請求項１】
指針と、
情報表示部と、
アンテナと、  
前記指針を駆動させる駆動回路と、を有する電波時計であって、
前記アンテナは、視認面側からの平面視において、前記情報表示部の中心線上の電気力線が最も密になるように配置され、
前記情報表示部は、前記中心線を基準として互いに反対側に２つの指針避難領域を有し、
前記駆動回路は、前記アンテナが電波を受信するときに、２つの前記指針避難領域のうち、前記指針から近い一方の領域へ前記指針を移動するように駆動する
ことを特徴とする電波時計。
【請求項２】
前記指針避難領域は、前記アンテナの受信感度が最大となる領域である
ことを特徴とする請求項１に記載の電波時計。
【発明の詳細な説明】
【技術分野】
【０００１】
本発明は、アンテナを備えた電波時計に関する。
【背景技術】
【０００２】
ＧＰＳ（Ｇｌｏｂａｌ  Ｐｏｓｉｔｉｏｎｉｎｇ  Ｓｙｓｔｅｍ）衛星等を用いた衛星測位システムや標準電波等を用いた時刻修正システムを用いた電波時計は、その電波を受信するために、その電波時計にアンテナを設ける必要がある。
【０００３】
アンテナは、電波の種類、目的、電波時計の構成などの条件により、モノポールアンテナ、ダイポールアンテナ、コイルアンテナ、パッチアンテナ、ループアンテナなど様々な種類の中から適切なアンテナを選択することができるが、電波時計内に載置される部品や筐体など電波を遮蔽する遮蔽物による影響が出来る限り少なくなるように電波時計内にアンテナを配置するのが好ましい。
【０００４】
特に筐体を構成するケースや裏蓋に金属部材を用いた腕時計においては、筐体の内側にアンテナが配置される。このとき、電波は視認側となるカバーガラスを透過してアンテナによって受信される。電波がカバーガラスからアンテナに到達するまでの間においても、遮蔽物などがないことが好ましいが、指針に金属部材を用いた場合、指針の位置によっては、アンテナの受信感度に大きく影響を与えてしまう。つまり、指針位置がアンテナ受信領域と重なる際には、感度が低下するという問題があった。
【０００５】
この問題に対して、受信時において指針をアンテナと重ならない位置まで避難させ、かつ文字板下に収納されているアンテナを、回転もしくは上昇させて文字板から裏蓋や輪列などの金属部材から避ける位置まで露出させて受信感度を確保するという従来技術が開示されている。（例えば、特許文献１参照）
【０００６】
特許文献１に示した従来技術について図８を用いて説明する。図８は特許文献１の要旨を説明するために、要部である指針１０１０（時針１０１１、分針１０１２、秒針１０１３）とアンテナ１０２０とケース１０３０と情報表示部１０６０のみを記載している。アンテナ１０２０は６時位置の金属製の情報表示部１０６０である文字板下に収納されており、電波受信時に図示しない時刻修正モーターを用いて指針１０１０を１２時に移動させるとともに、アンテナ移動用モーターを用いて、金属製文字板開口部を開口させてアンテナ１０２０を文字板上に回転もしくは上昇によって露出させる。これによりアンテナ１０２０が裏蓋から離れるとともにアンテナ１０２０上からも指針１０１０が避難した状態となっている。
【０００７】
特許文献１に示した従来技術は、このような構成とすることでアンテナを時計の内部に収容してもアンテナの送受信性能を確保できるようにしている。
【先行技術文献】
【特許文献】
【０００８】
【特許文献１】特開２００８−２４１５３８号公報（第５頁、図１、図２）
【発明の概要】
【発明が解決しようとする課題】
【０００９】
しかしながら、特許文献１に示した従来技術では、電波受信時にアンテナから金属部材が回避されているので受信性能は確保できるが、６時位置に配置されたアンテナ上に指針
が滞在する時間帯の電波受信時においては、１２時までの指針の回転移動量が最大１８０度必要となってしまう。これによりアンテナの受信環境が整うまでの時間が大幅にかかってしまう。また、指針を最大で半周回すことによる消費電力の増大が懸念される。
【００１０】
そこで、本発明の目的は、上記問題点を解決しようとするものであり、アンテナを設ける構成の電波時計において、アンテナ受信の感度を確保しつつ、消費電力を抑え、短時間で電波受信が可能となる電波時計を提供することを目的とする。
【課題を解決するための手段】
【００１１】
本発明におけるアンテナを備えた電波時計の構成は、以下の通りである。指針と、情報表示部と、アンテナと、指針を駆動させる駆動回路と、を有する電波時計であって、アンテナは、情報表示部に対して垂直な方向からの平面視において、情報表示部の中心線上の電気力線が最も密になるように配置され、情報表示部は、中心線を基準として互いに反対側に２つの指針避難領域を有し、駆動回路は、アンテナが電波を受信するときに、２つの指針避難領域のうち、指針から近い一方の領域へ指針を移動するように駆動することを特徴とする。
【００１２】
これによれば、指針避難領域が約１８０度の間隔をもって２つ存在し、電波受信時における指針をどちらかの指針避難領域に回避すればよく、回転移動量が最大でも９０度分で済むため、回転移動量の減少によってアンテナの受信環境が整うまでの時間が短縮できる。また、回転駆動に関わる消費電力を最小限に抑えることが可能となる。
【００１３】
また、本発明におけるアンテナを備えた電波時計において指針避難領域は、アンテナの受信感度が最大となる領域であることを特徴とする。
【００１４】
これによれば、受信感度が最大となる領域であるため良好な環境での電波受信が可能となる。
【発明の効果】
【００１５】
本発明によれば、アンテナの受信性能を確保しつつ、短時間で時刻修正が可能であり、低消費電力となる電波時計を提供することができる。
【図面の簡単な説明】
【００１６】
【図１】本実施形態の第一の構成例における電波時計を示す平面図である。
【図２】本実施形態の駆動回路の構成を示すブロック図である。
【図３】本実施形態の電波時計のアンテナから放射される電波の様子を示す平面図および断面図である。
【図４】本実施形態の第一の構成例における電波時計の指針による影響を示す平面図および断面図である。
【図５】本実施形態の第一の構成例における電波時計の指針が避難した際による影響を示す平面図および断面図である。
【図６】本実施形態の第二の構成例における電波時計を示す平面図である。
【図７】本実施形態の駆動方法を説明するためのフロー図である。
【図８】従来技術における電波時計の構成例を示す平面図である。
【発明を実施するための形態】
【００１７】
本発明は、電波時計のアンテナに対して、指針を電波阻害しない指針避難領域まで退避させる領域を少なくとも２つ以上設け、電波受信時にその指針避難領域のいずれか一方の近い領域に指針を退避させることによって、アンテナの特性を確保しつつ、短時間で電波受信環境を整え、低消費電力化を図ったものである。以下、図面に基づいて本発明の実施
形態を詳述する。
【００１８】
以下に示す実施形態においては、本発明の思想を具体化するための時刻情報を電波で受信し補正することができる電波時計について説明をするが、電波で受信する情報が時刻以外である指針とアンテナとを有する時計全般に用いることができる。以降の構成例に記載されている構成部材の材質、形状、その相対的配置等は特定的な記載がない限りは本発明の範囲をそれのみに限定する趣旨ではなく説明例に過ぎない。さらに、各図面が示す部材の大きさや位置関係等は説明をわかりやすくするために誇張していることがある。また、説明にあっては、同一要素には同一番号を付し、重複する説明は省略するものとする。また、発明に関係のない部分は省略している。
【００１９】
まず、図１〜図５を用いて本発明に係る構成例を説明する。本発明に係る構成例は、電波時計のケース内周に配置されたアンテナと時刻等を示す指針における電波受信時の位置関係を説明するものである。電波受信時の指針位置による電波受信への影響に係る３つの構成例をそれぞれ説明する。
次に、図６を用いてこの構成例の変形例を説明する。この変形例は先の構成例と同様に電波受信時の指針位置について説明する。
【００２０】
［第一の構成例の説明：図１〜図５］
はじめに、図１〜図４を用いて本発明に係る実施形態の第一の構成例である電波時計１００を説明する。図１は、電波時計１００を示す平面図であり、図２は図１の電波時計１００の駆動回路の構成を示すブロック図である。図３は、電波時計１００から放射される電波１４１について説明するための平面図および断面図であり、図４および図５は、電波受信時におけるアンテナ１２０と指針１１０の位置について説明するための平面図および断面図である。
【００２１】
［電波時計の構成の説明：図１、２］
まず、電波時計１００の構成について図１、２を用いて説明をする。図１は電波時計１００を視認面側から平面視した平面図である。図２は駆動回路の構成を説明するためのブロック図である。
図１に示すように、電波時計１００はケース１３０及び裏蓋（図示せず）で構成された筐体の内部に指針１１０、情報表示部１６０、アンテナ１２０及び指針１１０を駆動する駆動回路１８０（図１には図示せず）が配置されている。また、ケース１３０の内周には、カバーガラスが配置され、外周には操作部１７０が設けられている。
【００２２】
ケース１３０や裏蓋は、上述の指針１１０、情報表示部１６０、アンテナ１２０及び駆動回路１８０を内包し、カバーガラスを配置することによってこれらの構成物を保護している。ケース１３０や裏蓋の材料は、特に限定しないが、金属材料、セラミック材料、樹脂材料及びこれらの複合材料などを用いることができる。例えば、装飾性や見栄え、高級感を得るためにチタン、ステンレス、金などの金属を用いてもよい。
【００２３】
また、カバーガラスの材料は、筐体に内包されたアンテナ１２０が電波を受信できるように電波透過性に優れているものがよく、さらに、指針１１０や情報表示部１６０が示す情報が視認しやすいように、なるべく透明であるものが好ましい。例えば、プラスチックやサファイアガラスなどを用いることができる。
【００２４】
指針１１０は、中心軸Ｏを支点として回転駆動（運針）され、後述する情報表示部１６０の情報を指し示す。例えば、指針１１０を時針１１１、分針１１２、秒針１１３で構成すれば、時刻情報を指し示すことができる。指針１１０の材料は金属材料を用いることができ、例えば、装飾性や見栄え、高級感に加えて、運針のための軽量化のために、アルミ
ニウムなどを使用することができる。
【００２５】
情報表示部１６０は、種々の情報が文字や符号を用いて記載または形成されており、指針１１０が情報に応じた位置を指し示す。情報の種類としては、時刻情報、電池残量、アラーム時刻、方位、電波を受信する国名、タイムゾーンなどであり、後述する操作部１７０の操作によって指し示す情報の種類を切り替えることができる。このような情報表示部を実現するためには、例えば、文字板を利用することができ、指針１１０と駆動回路１８０との間に配置される。文字板の材料としては、後述のアンテナ１２０との位置関係にもよるが、アンテナ１２０の受信に影響を与えないように樹脂材料やセラミック材料が好ましい。また、情報表示部１６０は文字板に限定されず、時字や時刻情報以外の情報を表示するための印刷を施したカバーガラスを使用してもよい。以降の説明では情報表示部１６０に文字板を使用した例として説明をする。
【００２６】
アンテナ１２０は、標準周波数報時電波や衛星電波、その他通信用の電波など所望の電波を受信するために、電波の波長に応じて適切な方式及び長さが選択される。このアンテナ１２０が受信した情報を元に駆動回路１８０が指針１１０を動かし、正しい時刻を表示することができる。この構成例では、ダイポールアンテナとし、ケース１３０の内周の半周に沿って、情報表示部１６０である文字板上に配置されており、アンテナ１２０の２つの終端がそれぞれ電波の放射端１２１、１２２となっている。つまり、電波の主な放射は情報表示部１６０を放射端１２１、１２２で二分する。電波の放射については、詳細は後述する。なお、図１においては、アンテナ１２０の内側となるように指針１１０が配置されているが、視認面側からみてアンテナ１２０と指針１１０が重なるように配置されてもよい。また、アンテナ１２０はカバーガラスや情報表示部１６０の周囲に配置する見返しリングなどに配置してもよい。
【００２７】
駆動回路１８０は、指針１１０を回転駆動させる機構を有し、時刻表示のための運針や、操作部１７０の操作によって特定の情報を表示させるために指針１１０の駆動を行う。回転駆動させる機構の例としては、図２に示すように、電池１８１、発振器１８２、制御部１８３、モーター１８４及び指針位置検出手段１８５の組み合わせがある。電池１８１から供給された電圧に基づいて発振器１８２の振動子が振動し、制御部１８３は、この振動子の共振周波数に応じて基準クロック信号を出力する。モーター１８４はロータや輪列で構成されており、基準クロック信号に基づいてロータを駆動して輪列を回転させる。指針１１０は輪列と嵌合または接合されているため、輪列の回転が指針１１０の回転となる。また、指針位置検出手段１８５は、指針１１０が指し示している位置の検出を行うものであり、操作部１７０の操作と指針位置検出手段１８５による指針１１０の位置情報とを組み合わせて、制御部１８３が特定情報を示すための信号を出力し、ロータ及び輪列を回転させることもできる。
【００２８】
操作部１７０は、上述したように様々な情報の表示を行うために駆動回路に特定の操作信号を送り指針１１０を操作することができる。ここで特定の操作信号とは、例えば、時刻の手動調整、電波の強制受信、特定情報の表示、アラームの設定、ストップウォッチ機能の操作及びこれらの機能への切り替えを行う信号のことをいう。操作部１７０の構成は、例えば図１に示すような竜頭形状の他、プッシュボタンやタッチパネルなどでもよい。また、操作部１７０の数は限定する必要はないが、本構成例においては１つであるとして説明をする。
【００２９】
［アンテナの電波放射の説明：図３］
次に、アンテナの電波放射について、図３を用いて詳細に説明する。図３（ａ）は、電波時計１００におけるアンテナの電気力線を説明するための視認面側から平面視した平面図であり、図３（ｂ）は、電気力線によって発生する電波の放射方向を説明するための図
３（ａ）のＡ−Ａ断面の部分断面図である。図３（ａ）、（ｂ）ともに説明を容易にするため指針１１０や操作部１７０を省略し、さらに図３（ｂ）では情報表示部１６０も省略している。
【００３０】
図３（ａ）に示すように、ケース１３０内に収められたアンテナ１２０に交流信号を印加すると、２つの放射端１２１、１２２にそれぞれ＋の電荷と−の電荷が到達し、電気力線１４０が発生する。また図３（ｂ）に示すように、発生した電気力線１４０によって電波時計１００の上方の空間中に発生する電場と磁場により空間内を電波１４１が伝播していく。図３（ａ）においては、電気力線１４０の太さを変えて示しているが、これは電気力線１４０の密度を表している。電気力線１４０が密となっている領域を太線で表し、粗になっている領域を細線で表している。つまり、視認面側から平面視したときに、放射端１２１、１２２を結び、情報表示部１６０の中心線上を通る直線上の電気力線１４０が最も密であり、ケース１３０に近い領域になるにつれて電気力線１４０が疎であることを示している。この電気力線１４０の粗密に電波強度が比例し、密であるほど電波強度が強いことを意味する。つまり、電気力線１４０が密である領域で指針１１０が電気力線１４０を阻害しないようにすることが好ましい。これについては後述する。
このとき、図１で説明した通り、電波時計１００は金属製のケース１３０と裏蓋によって四方を導電体で囲まれているため、電波１４１の放射方向は、電波透過が可能なカバーガラス（視認面側）のみとなる。
【００３１】
なお、上述の説明においては、電波時計１００から放射される電波１４１による送信について説明しているが、電波１４１の送信と受信は相互関係にあるため、電波１４１の受信についても同様となる。以降の説明においても、放射（送信）を前提として説明するが、受信についても同様となる。
【００３２】
［アンテナと指針位置における電波阻害についての説明：図４］
図４は、図１に示す電波時計１００において、指針１１０による電波阻害を説明するための平面図および断面図である。図４（ａ）は、分針１１２がアンテナ１２０の終端の片側に最も近接した時刻を指した図である。図４（ｂ）は、図４（ａ）のＢ−Ｂ断面図である。図４（ａ）、（ｂ）では説明を容易にするため操作部１７０を省略し、さらに図４（ｂ）では情報表示部１６０も省略している。
【００３３】
図４（ａ）に示すように、アンテナ１２０の終端となる放射端１２１に分針１１２が最も近くなったとき、つまりアンテナ１２０の電気力線１４０が最も密である放射端１２１、１２２を結ぶ中心線Ｐと、アンテナ１２０とが平行になるときにおいて、図４（ｂ）に示す電気力線１４０のように対向する放射端１２２へ架かる電気力線１４０の他に、分針１１２へ架かる電気力線１４２の２つが発生してしまう。本来であれば、放射端１２１とその対向側となる放射端１２２の間によって発生する電気力線１４０の振幅が受信したい電波の半波長となり、良好に電波を受信することが可能となるが、分針１１２に架かる電気力線１４２がノイズ成分となり損失してしまうため、電波１４１の指向性が変化したり、受信強度が下がってしまう。
また、図４（ｂ）のようにアンテナ１２０の位置より指針１１０が高い位置（電波放射側）にあるとして説明を行ったが、指針１１０がアンテナ１２０より低い位置にあった場合でも、分針１１２に架かる電気力線１４２が発生し、同様に電波１４１の指向性が変化したり、アンテナ１２０の受信強度が下がってしまう。
【００３４】
これに対し、指針１１０を電波受信時に指針避難領域に退避するように駆動することによって指向性の変化や受信強度の低下を回避することができる。これについて、図５を用いて詳細に説明をする。
【００３５】
［アンテナから避難した指針位置における説明：図５］
図５（ａ）は、図１に示した電波時計１００において指針１１０が２つの指針避難領域のうち一方へ退避した平面図である。図５（ｂ）は、２つの指針避難領域のうち、図５（ａ）とは異なる指針避難領域に指針１１０が退避した平面図である。図５（ｃ）は、図５（ａ）のＣ−Ｃ断面図である。ここで、説明を簡単にするために指針１１０は分針１１２のみとして説明を行うが、時針１１１，秒針１１３があったとしてもそれぞれ同様の動作を行えば良い。図５（ａ）、（ｂ）、（ｃ）では説明を容易にするため操作部１７０を省略し、さらに図５（ｃ）では情報表示部１６０も省略している。
【００３６】
図５（ａ）、（ｂ）に示すように、情報表示部１６０の中心線Ｐ上に電磁波を放射しているアンテナ１２０を配置した場合には、この中心線Ｐと略垂直な２つの方向にそれぞれ指針避難領域を設けている。つまり、回転軸Ｏを中心とする中心角θの２つの扇状の領域を指針避難領域２００ａ、２００ｂとしている。指針避難領域２００ａ、２００ｂは、図４を用いて説明したとおり、指針１１０に架かる電気力線１４２の発生を抑えるために、指針１１０が放射端１２１、１２２を結ぶ直線を通る電気力線１４０に対して、出来る限り影響を及ぼさない指針位置の領域である。このときの電気力線１４０と電波１４１について次に説明する。
【００３７】
図５（ａ）において、電波受信のときに、分針１１２を指針避難領域２００ａに避難させて電波受信を開始する。このとき、Ｃ−Ｃ断面図である図５（ｃ）に示すように、アンテナ１２０の放射端１２１と反対側の放射端１２２を結ぶ直線と直交する位置を分針１１２が指し示すように配置されることになり、分針１１２へ向かう電気力線１４２を減少させる（抑える）ことができ、ノイズ成分による損失を大きく低減することができる。２００ａのうち、分針１１２が１２時位置を指し示したときに受信感度が最大となる。
また、図５（ｂ）は、分針１１２を指針避難領域２００ｂに避難させた図であり、指針避難領域２００ｂのうち、受信感度が最大となる位置は分針１１２が６時位置を指し示したときとなる。電気力線１４０と電波１４１の関係は、図５（ａ）と同じであり、同様の効果を得ることができる。
【００３８】
このように指針避難領域２００ａ、２００ｂを２つ設け、電波受信をするときに指針１１０と指針避難領域２００ａ，２００ｂとの位置関係を算出し、その算出情報を元に指針避難領域２００ａもしくは指針避難領域２００ｂのいずれか一方の近い指針避難領域に指針１１０を退避すればよい。具体的には、分針１１２を含む指針１１０が、アンテナ１２０を含む放射端１２１から放射端１２２までの間（時計回りに９時位置から３時位置まで）を指し示しているときの電波受信においては、図５（ａ）に図示するように、その近傍となる指針避難領域２００ａに指針１１０を退避させれば、いち早く良好な電波受信環境を整えることができる。また、分針１１２を含む指針１１０が、アンテナ１２０を含まない放射端１２１から放射端１２２までの間（時計回りに３時位置から９時位置まで）を指し示しているときの電波受信においては、図５（ｂ）に図示するように、指針避難領域２００ｂに指針１１０を退避させれば、いち早く良好な電波受信環境を整えることができる。
【００３９】
上述した構成においては、図５（ａ）や図５（ｂ）で示すように放射端１２１、１２２を結ぶ直線に対して垂直な方向である１２時位置や６時位置を指し示すときに受信感度が最大となる領域であるとして説明をした。しかし、指針１１０及び情報表示部１６０の材質、形状、及びその他の電子部品の配置によっては必ずしも１２時位置や６時位置ちょうどのときに受信感度が最大になるとは限らないため、その構成ごとに指針位置と受信感度との関係を算出して受信感度が最大となる領域を設定すれば良い。
また、必ずしも受信感度が最大となる領域を指針１１０の移動位置とする必要はなく、充分な電波受信環境を整えることができればよいため、回転軸Ｏを軸に受信感度が最大と
なる領域を含む所定の角度θの範囲を指針避難領域とすればよい。例えば図１の構成において、指針避難領域は最大受信感度領域の１２時及び６時位置からそれぞれ±３０°の範囲が好ましく、±１０°の範囲がより好ましい。
【００４０】
以上説明した通り、電波受信時の指針１１０を２つの指針避難領域２００ａ、２００ｂのいずれか一方の近い指針避難領域へ退避することにより、指針１１０の稼動量を最小限に抑え、また、電波受信環境を整えるまでの時間を大幅に短縮することができ、ひいては低消費電力化を図ることができる。指針１１０と指針避難領域２００ａ、２００ｂとの位置関係の算出については、電波時計１００に配置した指針位置検出手段１８５を用いて、指針１１０（時針１１１、分針１１２、秒針１１３）のそれぞれの指針位置を検出することにより求めてもよい。
【００４１】
また、指針１１０の時針１１１、分針１１２、及び秒針１１３は同じ指針避難領域に退避する必要はなく、それぞれがどの位置にいるかを検出し、指針避難領域との位置関係を算出して、それぞれの指針１１０が最も近い指針避難領域に退避すればよい。
【００４２】
なお、図４（ｂ）および図５（ｃ）のそれぞれの断面図において、指針１１０（上記説明では分針１１２）とアンテナ１２０を異なる高さに配置している構成で説明を行ったが、これに限定されず、指針１１０とアンテナ１２０とが同一平面上に配置されている場合や、指針１１０がアンテナ１２０の上下にかかる位置に配置されても同様の効果となる。
【００４３】
［第二の構成例の説明：図６］
図６を用いて本実施形態の第二の構成例である電波時計２００を説明する。本構成例の特徴は、第一の構成例の構成に加えて指針の変形例として小針を用い、小針によって情報を示すための副表示部を設けた点である。これらの副表示部によって、電波時計２００のデザイン性や機能性を向上する。なお、図６（ａ）は、電波受信前の指針位置を示すものであり、図６（ｂ）は、電波受信時の指針位置を示すものである。
【００４４】
図６（ａ）に示すように、電波時計２００は、副表示部１５０、１５１、１５２、１５３を有し、各副表示部１５０〜１５３に小針１５５、１５６、１５７、１５８を有する。電波受信前において、分針１１２はアンテナ１２０上に滞在しており、時針１１１は、アンテナ１２０が配置されていない領域に滞在している。この分針１１２と時針１１１が電波受信時を表す図６（ｂ）に示した指針避難領域へ退避することは第一の構成例と同様である。
【００４５】
副表示部１５０、１５１、１５２、１５３について説明する。副表示部１５０〜１５３は情報表示部１６０の変形例であり、上述したように種々の情報が形成されている。例えば、電池残量、電波受信のタイムゾーン、他都市の時刻などを表示するために配置することができる。これらの副表示部１５０〜１５３に形成された情報を指し示す小針が配置されている。
【００４６】
小針１５５、１５６、１５７、１５８について説明する。小針１５５〜１５８は、指針の変形例であり、副表示部１５０〜１５３のそれぞれの中心を回転軸として配置され、回転駆動（運針）することによってそれぞれに形成された情報を指し示す。電波を受信するときは上述の指針１１０と同様に指針避難領域に退避するが、小針１５５〜１５８とアンテナ１２０との配置関係によって指針避難領域の位置が異なる。
まず、アンテナ１２０の放射端１２１とそれに対向する放射端１２２を結ぶ直線と直交する位置に配置された副表示部１５０、１５２の電波受信時における小針１５５、１５７の退避について説明し、次に放射端１２１と放射端１２２とを結ぶ直線上に配置された副表示部１５１、１５３の電波受信時における小針１５６、１５８について説明する。
【００４７】
はじめに小針１５５、１５７は、電波受信時において、それぞれが放射端１２１および対向する放射端１２２とそれぞれ最も遠くなる位置を指し示すことにより、第一の構成例と同様に電気力線１４０への指針の影響を最小限に抑えることができる。この場合、退避領域はそれぞれに１つとなるが、退避の過程における回転方向は、小針１５５、１５７の指針避難領域への稼動量がもっとも少なくなる方向へ移動することで、電波受信環境を整える時間を短縮することができる。
【００４８】
次に、アンテナ１２０の放射端１２１とそれに対向する放射端１２２を結ぶ直線上に配置された副表示部１５１、１５３の電波受信時における小針１５６、１５８の退避について説明する。小針１５６は、放射端１２２の近傍に配置されているが、電波受信時において、放射端１２１と放射端１２２とを結び中心軸Ｏを通る直線（中心線Ｐ）上の電気力線と小針１５６が重なる量がもっとも少なく、かつ指針１５６全体が放射端１２２と離れる位置に退避することで、電気力線１４０への影響をもっとも小さくすることができる。
【００４９】
図６（ｂ）で図示すように、副表示部１５１における小針１５６の指針避難領域は、中心線Ｐと略垂直な２つの方向にある指針避難領域２１０ａ、２１０ｂのいずれかとなる。指針避難領域２１０ａは、副表示部１５１の中心からみて、垂直な方向から情報表示部１６０にある１２時位置方向にわずかに傾いている。同様に、指針避難領域２１０ｂは、副表示部１５１の中心からみて、垂直な方向から情報表示部１６０にある６時位置方向にわずかに傾いている。副表示部１５１の指針避難領域を垂直な方向からわずかに傾けた理由は、前段落に記載したように、電気力線１４０への影響を考慮したためである。放射端１２２となるべく離れた位置に設定することで、電気力線１４０が集まる放射端１２２への影響を抑制している。以上のように小針１５６は、アンテナが電波を受信するときには、指針避難領域２１０ａ、２１０ｂのいずれか近いほうへ移動する。図６（ｂ）においては、指針避難領域２１０ａへ退避した。
【００５０】
次に副表示部１５３における小針１５８の指針避難領域について説明する。小針１５８の指針避難領域も、先の小針１５６の指針避難領域と同様に、中心線Ｐと略垂直な２つの方向にある指針避難領域２２０ａ、２２０ｂのいずれかとなる。指針避難領域２２０ａ、２２０ｂが、副表示部１５３の中心からみて、垂直な方向からわずかに傾いているが、この理由は、副表示部１５１で説明したように、アンテナが電波を受信するときに、放射端１２１と放射端１２２とを結び中心軸Ｏを通る中心線上と小針１５８が重なる量がもっとも少なく、かつ小針１５８全体が放射端１２１と離れる位置に退避することで、電気力線１４０への影響をもっとも小さくすることができるためである。以上のように小針１５８は、アンテナが電波を受信するときには、指針避難領域２２０ａ、２２０ｂのいずれか近いほうへ移動する。図６（ｂ）においては、指針避難領域２２０ａへ退避した。
【００５１】
このように第二の構成例のように小針及び副表示部を多数含む電波時計２００であっても、小針１５５〜１５８のそれぞれについて、２つの指針避難領域との位置関係を算出し、その算出情報に基いてそれぞれ最も近い指針避難領域へ移動することで、小針１５５〜１５８の稼動量を最小限に抑えることが可能となり、電波受信環境を整えるまでの時間を大幅に短縮することができ、ひいては低消費電力化を図ることができる。
この小針と指針避難領域との位置関係の算出については、電波時計２００に配置した指針位置検出手段１８５を用いて、小針１５５〜１５８のそれぞれの指針位置を検出することにより求めても良い。
【００５２】
以上説明したように、上述した構成例によれば、電波受信時において、各指針を電波強度が強い領域から最も遠ざかる指針避難領域へ移動させる駆動距離を短くすることができるため、指針によるアンテナ性能の低下を低減するとともに、電波受信環境を整えるまで
の時間を大幅に短縮することと、低消費電力化を実現することができる。
【００５３】
また、上述した全ての構成例において、指針１１０は回転軸Ｏを軸として回転駆動をする構成として説明を行ったが、これに限定されず、指針１１０が上下または左右のように直線方向に移動をする構成でもよい。この場合、上述の放射端１２１、１２２を結ぶ直線をまたぐように配置された指針１１０に対して、指針１１０の移動範囲の両端を指針避難領域とし、電波を受信するときにいずれかの近い方に避難するように駆動させればよい。
【００５４】
さらに、上述した全ての構成例において、アンテナ形状は半円弧状で説明したが、放射端を結ぶ中心線上で放射するようなアンテナであればヘリカル状のダイポールアンテナやスロットアンテナ、リングアンテナ、直列に接続されたチップアンテナなどでも良い。また、配置方向も３時−９時方向として説明を行ったが、これに限定されず６時−１２時方向や２時−８時方向など任意に選択することができる。
【００５５】
［指針を指針避難領域に駆動する方法の説明：図７］
次に、電波時計１００（２００）が電波の受信を開始するときに、指針１１０を指針避難領域へ移動する駆動方法について図７を用いて詳細に説明を行う。図７は電波を受信するタイミングを確認し、電波を受信するときに指針１１０を指針避難領域に移動させてから電波の受信を開始するフローを説明するためのフロー図である。
【００５６】
図７に示すように、駆動方法は、電波の自動受信のタイミングであるかを判断するステップＳＴ０１、操作部１７０による強制受信のタイミングであるかを判断するステップＳＴ０２、電波の受信前に指針１１０の位置を検出するステップＳＴ０３、指針１１０を２つの指針避難領域のどちらに避難させるかを判定し移動するステップＳＴ０４、指針１１０が指針避難領域に移動した後に電波の受信を開始するステップＳＴ０５、受信信号に基づいた情報を指針１１０が指し示すＳＴ０６を有する。以降では受信情報が時刻情報であり電波１４１が標準電波である場合を例にして、それぞれのステップＳＴ０１〜ＳＴ０６の動作について詳細に説明する。
【００５７】
はじめに、ステップＳＴ０１について説明する。ステップＳＴ０１は「自動受信のタイミングか」を判断する。例えば、制御部１８３にメモリを設け所定の時刻になったときに電波１４１の自動受信を開始するように設定しておいた場合には、その設定時刻になっているか否かを制御部１８３が判断する。設定時刻である場合には判定ＹとしてステップＳＴ０３に進む。設定時刻でない場合には判定ＮとしてステップＳＴ０２に進む。
【００５８】
次にステップＳＴ０２について説明する。ステップＳＴ０２は「操作部による強制受信か」を判断する。例えば操作部１７０によって、制御部１８３に送られる上述した特定の操作信号が、電波を受信するための信号であるか否かを判断する。この特定の操作信号が電波を受信するための信号である場合には制御部１８３は判定ＹとしてステップＳＴ０３に進む。そうでない場合には、判定ＮとしてステップＳＴ０１に戻る。
【００５９】
次にステップＳＴ０３について説明する。ステップＳＴ０３は電波受信前の準備段階であり「指針位置の検出」を行う。詳細には、指針１１０が情報表示部１６０のどこを指し示しているのかを検出する。具体的には、基準位置（例えば１２時位置）からの運針量を記憶しておき、その情報をもとに指針１１０の位置を計算してもよい、また、光センサなどの指針位置検出手段１８５を用いて指針１１０の位置を検出してもよい。制御部１８３は、上述の指針位置とあらかじめ設定しておいた指針１１０の２つの指針避難領域の位置との関係から、もっとも近い方、すなわち指針１１０の移動距離が短い方の指針避難領域を求める。
【００６０】
次にステップＳＴ０４について説明する。ステップＳＴ０４では、前述した駆動回路が、ステップＳＴ０３で求めた指針避難領域に指針１１０を移動させる「指針を最も近い指針避難領域に移動」を行う。具体的には、駆動回路１８０の制御部１８３がもっとも近い方の指針避難領域に指針１１０が駆動するような信号を出力することによって、モーターが回転駆動し指針１１０を移動させる。このステップＳＴ０４によって指針１１０の指針避難領域への移動が完了する。
【００６１】
次にステップＳＴ０５について説明する。ステップＳＴ０５では、ステップＳＴ０１における自動受信の電波または、ステップＳＴ０２における特定の操作信号に基づく電波を受信する「電波受信開始」を行う。制御部１８３は受信した電波信号を処理し、時刻情報などの受信情報を得ることができる。
【００６２】
次にステップＳＴ０６について説明する。ステップＳＴ０６では、ステップＳＴ０５で得た受信情報の情報を指し示すために指針１１０を駆動する「受信情報に基づく指針の移動」を行う。制御部１８３は受信情報に基づいて指針１１０が指し示す場所を計算し、その計算に基づいた信号をモーターに出力して指針１１０を回転駆動する。これにより、電波時計は電波を受信することによって得られる受信情報を指し示すことができる。
受信情報が時刻情報である場合には、その後、発振回路のクロック信号に基いて計時を行い、ステップＳＴ０１に戻る。受信情報が時刻情報以外である場合は、例えば特定の期間受信情報を指し示した後にステップＳＴ０１に戻る。
【００６３】
以上説明したように、上述したステップＳＴ０１〜ＳＴ０６までのフローによれば、電波を受信するときにおいて、各指針を短い駆動距離で指針避難領域へ移動させることができ、電波受信環境を整えた状態で電波を受信することができる。これにより、指針によるアンテナ性能の低下を低減するとともに、電波受信環境を整えるまでの時間を大幅に短縮することと、低消費電力化を実現することができる。
【符号の説明】
【００６４】
１００、２００    電波時計
１１０    指針
１１１    時針
１１２    分針
１１３    秒針
１２０    アンテナ
１２１、１２２  放射端
１３０    ケース
１４０、１４２  電気力線
１４１    電波
１５０、１５１、１５２、１５３  副表示部
１５５、１５６、１５７、１５８  小針
１６０  情報表示部
１７０  操作部
１８０  駆動回路
１８１  電池
１８２  発振器
１８３  制御部
１８４  モーター
１８５  指針位置検出手段
２００ａ、２００ｂ、２１０ａ、２１０ｂ、２２０ａ、２２０ｂ  指針避難領域
Ｏ  中心軸
Ｐ  中心線
【図１】
2016161393.tif 000003
【図２】
2016161393.tif 000004
【図３】
2016161393.tif 000005
【図４】
2016161393.tif 000006
【図５】
2016161393.tif 000007
【図６】
2016161393.tif 000008
【図７】
2016161393.tif 000009
【図８】
2016161393.tif 000010